(57)【特許請求の範囲】
【請求項１】
所定の間隔を開けて配置された左右一対の支持部材を備えた入退場者検知用ゲートにおいて、
前記支持部材の一方に、複数の発光素子を線状に配置した複数の線状発光手段を、所定の間隔を開けて同じ角度で傾けて配置し、かつ、
前記支持部材の他方に、前記線状発光手段の発光素子から発光される光を受光する複数の受光素子を線状に配置した複数の線状受光手段を、前記線状発光手段と対向するよう所定の間隔を開けて同じ角度で傾けて配置すると共に、
前記線状発光手段及び線状受光手段を、少なくとも、平均的な身長の大人の肩の高さをカバーするように前記支持部材に配置し、
該入退場者検知用ゲートが、前記線状受光手段の各受光素子からの信号を受信する制御装置を備え、
該制御装置が、前記線状受光手段の各受光素子からの信号に基づいて、支持部材を通過した人間の進行方向に加えて、該人間の幅、該人間の背の高さ及び該人間の車椅子の使用の有無の少なくとも一つを判断するように構成されている
ことを特徴とする入退場者検知用ゲート。
【発明の詳細な説明】
【技術分野】
【０００１】
本発明は、入退場者を正確に検知可能な入退場者検知用ゲートの改良に関する。
【背景技術】
【０００２】
従来から、入退場者を検知可能なゲートを出入口に設けて、入場者及び退場者の人数を管理することは行われている。
入退場者を検知する方法としては、例えば、重量センサを用いて入退場者の体重を検出する方法や、人間から放射される熱を感知する方法等がある。
しかし、上記した体重を検出する方法は、高価な機器を必要とし、処理時間も長くかかるという問題がある。
また、熱を感知する方法は、季節変化による衣服の増減や周囲環境等に検出精度が左右されるという問題がある。
上記した問題を解決するために、線状に配置された複数の発光素子から成る線状発光手段と、前記線状発光手段に対向して配置される線状受光手段とを、上下に間隔を開けて二段水平に設けた入退場者検知用センサ装置が提案されている（特許文献１参照）。
【０００３】
【特許文献１】特開平５−５２９６４号公報
【発明の開示】
【発明が解決しようとする課題】
【０００４】
上記した従来の入退場者検知用センサ装置は、線状受光手段及び線状受光手段を、人間の腰の位置及び足の位置に二段水平に設けることにより、安価な線状受光手段及び線状受光手段で、入退場者の検知を比較的正確に行うことができるという効果を有する。
しかし、上記した従来の入退場者検知センサ装置は、線状受光手段及び線状受光手段を上下二段に水平に設けているため、入退場者の通過を検知することはできても、それ以上の情報を得ることができないという問題がある。
具体的には、例えば、入退場者が大人であっても子供であっても、線状受光手段及び線状受光手段から得られる情報は変わらないため、入退場者が大人か子供かを判別することができない。
本願の発明者は、上記した従来の問題点に着目し、入退場者の通過の有無だけでなく、それ以外の情報についても検出することが可能な入退場者検知用ゲートを提供することを目的としている。
【課題を解決するための手段】
【０００５】
上記した目的を達成するために本発明に係る入退場者検知用ゲートは、所定の間隔を開けて配置された左右一対の支持部材を備えた入退場者検知用ゲートにおいて、前記支持部材の一方に、複数の発光素子を線状に配置した複数の線状発光手段を、所定の間隔を開けて同じ角度で傾けて配置し、かつ、前記支持部材の他方に、前記線状発光手段の発光素子から発光される光を受光する複数の受光素子を線状に配置した複数の線状受光手段を、前記線状発光手段と対向するよう所定の間隔を開けて同じ角度で傾けて配置すると共に、前記線状発光手段及び線状受光手段を、少なくとも、平均的な身長の大人の肩の高さをカバーするように前記支持部材に配置し、該入退場者検知用ゲートが、前記線状受光手段の各受光素子からの信号を受信する制御装置を備え、該制御装置が、前記線状受光手段の各受光素子からの信号に基づいて、支持部材を通過した人間の進行方向に加えて、該人間の幅、該人間の背の高さ及び該人間の車椅子の使用の有無の少なくとも一つを判断するように構成されていることを特徴とする。
【発明の効果】
【０００６】
本発明に係る入退場者検知用ゲートは、所定の間隔を開けて配置された左右一対の支持部材を備えた入退場者検知用ゲートにおいて、前記支持部材の一方に、複数の発光素子を線状に配置した複数の線状発光手段を、所定の間隔を開けて同じ角度で傾けて配置し、かつ、前記支持部材の他方に、前記線状発光手段の発光素子から発光される光を受光する複数の受光素子を線状に配置した複数の線状受光手段を、前記線状発光手段と対向するよう所定の間隔を開けて同じ角度で傾けて配置すると共に、前記線状発光手段及び線状受光手段を、少なくとも、平均的な身長の大人の肩の高さをカバーするように前記支持部材に配置し、該入退場者検知用ゲートが、前記線状受光手段の各受光素子からの信号を受信する制御装置を備え、該制御装置が、前記線状受光手段の各受光素子からの信号に基づいて、支持部材を通過した人間の進行方向に加えて、該人間の幅、該人間の背の高さ及び該人間の車椅子の使用の有無の少なくとも一つを判断するように構成されているので、支持部材間を通過する人間の進行方向に関する情報だけでなく、高さ方向に関する情報及び幅方向に関する情報の少なくとも一つをも検出することが可能になる。
これにより、例えば、入退場者の身長等の高さに関する情報も検出することが可能になるので、高さに関する情報と進行方向に関する情報との組み合わせで入退場者が大人か子供かを判断したり、車椅子に乗っているか否かを判断したり、さらには、大きな荷物を持っているか否かを判断したりすることが可能になる。
また、前記線状発光手段及び線状受光手段を複数設け、各線状発光手段及び線状受光手段を、所定の間隔を開けて同じ角度で傾けて配置しているので、各発行手段及び受光手段からの情報を組み合わせてより正確な入退場者の検出が可能になる。
人間は歩いているときに腕を振るため、人間の腰の付近の動きを検出しようとすると、振っている腕の動きまで検出してしまい、これがノイズとなって検出精度が下がったり、判断が複雑になるという問題がある。発明者等は、この問題に着目し、ゲートを通過する人間の身体のどの部分が一番動きが少なく、かつ、ノイズが入り難いかを研究した結果、人間の身体の肩の部分が一番動きが少なく、かつ、ノイズが入り難いという結論に至った。
本発明に係る入退場者検知用ゲートは、前記線状発光手段及び線状受光手段を、平均的な身長の大人の肩の高さをカバーするように設けることで、入退場者の検出を非常に正確に行うことが可能なる。
【発明を実施するための最良の形態】
【０００７】
以下、添付図面に示した一実施例を参照して、本発明に係る入退場者検知用ゲートを実施の形態を説明していく。
【０００８】
図１は本発明に係る入退場者用検知ゲートの外観を示す概略斜視図であり、図２（ａ）は一方の支持部材の正面図を、図２（ｂ）は他方の支持部材の正面図を各々示している。
図面に示すように、入退場者用検知ゲートは、一対の支持部材１Ｌ及び１Ｒを有する。これらの支持部材１Ｌ及び１Ｒは、その間を人間が通過できるように間隔を開けて配置されている。
一方の支持部材１Ｌには、図２（ａ）に示すように、複数の発光素子を一直線状に並べて成る線状発光手段２，３及び４が、各々進行方向Ａに向けて斜め上方に上がるように所定の間隔を開けて同じ角度で傾斜して配置されている。
各線状発光手段２，３及び４は、各々１０個の発光素子ａ〜ｊを有し、隣接する線状発光手段は、その発光素子の一部が上下方向に重なるように配置されている。具体的には、線状発光手段２の発光素子２ｊと線状発光手段３の発光素子３ａとは上下方向に重なっており、線状発光手段３の発光素子３ｊと線状発光手段４の発光素子４ａとは上下方向に重なっている。
他方の支持部材１Ｒにも、図２（ｂ）に示すように、線状発光手段２，３及び４に対向するように線状受光手段５，６及び７が、同じように傾斜して配置されており、線状受光手段５，６及び７の各受光素子は、線状発光手段２，３及び４の各発光手段からの光を受光するよう構成されている。
各線状受光手段５，６及び７は、各々１０個の受光素子ａ〜ｊを有し、隣接する線状受光手段は、その受光素子の一部が上下方向に重なるように配置されている。具体的には、線状受光手段５の受光素子５ｊと線状受光手段６の受光素子６ａとは上下方向に重なっており、線状受光手段６の受光素子６ｊと線状受光手段７の受光素子７ａとは上下方向に重なっている。
上記した線状発光手段２，３及び４、並びに線状受光手段５，６及び７は、平均的な身長を持つ成人男性の肩の位置をカバーするように配置されている。具体的には、例えば、地面から１３０ｃｍ〜１６０ｃｍの間をカバーするように配置され得る。人間は歩行時に腕を振るため、動きが少ないからといって腰の位置で検出を行おうとすると、腕や手がノイズとして検出される可能性が高いが、肩の位置で検出を行うことにより腕や手のノイズが入り難いという利点がある。
しかしながら、線状発光手段及び線状受光手段によりカバーされる高さの範囲は、この実施例に限定されるものではなく、広ければ広い方が、より多くの情報を得ることができることは勿論である。
線状受光手段５，６及び７を構成する各受光素子の出力は制御装置１０に入力される。
制御装置１０は、受光素子が発光素子の光を受光している場合には、その受光素子の前には何も障害物がないと判断し、受光素子が発光素子の光を受光していない場合には、その受光素子の前を人が通過して光を遮断していると判断する。
以下の説明では、受光素子が発光素子の光を受光している時の受光素子の出力をＯＦＦとし、受光素子が発光素子の光を受光していない時の受光素子の出力をＯＮとして説明する。
【０００９】
上記した構成により、少なくとも線状発光手段及び線状受光手段より背が高い人間が、ゲートを通過して入場する場合、線状受光手段５の受光素子５ａから線状受光手段７の受光素子７ｊまでの出力が順次ＯＮになる（尚、上記した構成では、線状受光素子５の受光素子５ｊ及び線状受光素子６の受光素子６ａ、並びに線状受光素子６の受光素子６ｊと線状受光素子７の受光素子７ａは同時にＯＮになる。）。
逆に、少なくとも線状発光手段及び線状受光手段より背が高い人間が、ゲートを通過して退場する場合、線状受光素子７の受光素子７ｊから線状受光素子５の受光素子５ａまでの出力が順次ＯＮになる。
制御装置１０は、線状受光手段５〜７の出力に基づいて、以下のような判断を行う。
（ａ）線状受光素子５、６及び７の受光素子が順にＯＮになった後にＯＦＦになった場合は、人間が入場したと判定する。
（ｂ）線状受光素子５，６及び７の受光素子が順にＯＮになった後にＯＦＦになり、続けて線状受光素子７，６及び５の順で受光素子がＯＮになった後にＯＦＦになった場合には、人間が入場した後に直ぐに退場したと判定する。
（ｃ）線状受光素子５，６及び７の受光素子が順にＯＮになった後に、線状受光素子５及び６の受光素子はＯＦＦになるが線状受光素子７の受光素子はＯＦＦにならず、続けて、線状受光素子６及び５の順で受光素子がＯＮになった後にＯＦＦになった場合は、人間がゲートの途中でＵターンして戻ったと判断し、入場者なしと判定する。
（ｄ）線状受光素子７、６及び５の受光素子が順にＯＮになった後にＯＦＦになった場合は、人間が退場したと判定する。
（ｅ）線状受光素子７，６及び５の受光素子が順にＯＮになった後にＯＦＦになり、続けて線状受光素子５，６及び７の順で受光素子がＯＮになった後にＯＦＦになった場合には、人間が退場した後に直ぐに入場したと判定する。
（ｆ）線状受光素子７，６及び５の受光素子が順にＯＮになった後に、線状受光素子７及び６の受光素子はＯＦＦになるが線状受光素子５の受光素子はＯＦＦにならず、続けて、線状受光素子６及び７の順で受光素子がＯＮになった後にＯＦＦになった場合は、人間がゲートの途中でＵターンして戻ったと判断し、退場者なしと判定する。
【００１０】
また、制御装置１０は、同時にＯＮになっている連続した受光素子の数に基づいてゲートを通過している人間の幅を検出する。
制御装置１０は、同時のＯＮになっている連続した受光素子の数が所定の数が所定の数より多い場合には、複数の人間が間隔を開けずに入場しているか、又は、大きな荷物を持って入場していると判断して、必要に応じて、警報を発するか、又は警告ランプを点滅させる。
さらに、制御装置１０は、各線状受光素子５，６及び７の下側にある受光素子（例えば、ａ〜ｄ）のみが所定の時間内に順番にＯＮになった後にＯＦＦになった場合には、例えば、子供等の背の低い人間、又は車椅子に乗っている人間がゲートを通過したと判断することもできる。
【００１１】
上記したように、本実施例に係る入退場者用検知ゲートによれば、支持部材１Ｌ及び１Ｒに、線状発光手段及び線状受光手段を斜めに傾けて並べて配置しているため、図２に点線で示す面全体を、非常に少ない受光素子でカバーすることが可能になり、入退場の方向（即ち、横方向に関する情報）だけでなく、高さに関する情報をも得ることが可能になる。
【００１２】
上記した実施例では、３本の線状発光手段及び線状受光手段を各々支持部材１Ｌ及び１Ｒに設けた例を示しているが、線状発光手段及び線状受光手段の数は、本実施例に限定されることなく、例えば、１本でもよく、また、４本以上でもよい。但し、線状発光手段及び線状受光手段の数は、多ければ多いほど、検出精度が高くなることは勿論である。
また、上記した実施例では、壁状の支持部材に線状発光手段及び線状受光手段を設けた例を示しているが、支持部材は左右一対に形成されていればどのような形態でもよく、例えば、支柱でもよい。
さらに、上記した実施例では、説明及び図面を簡単化するために各線状発光手段及び線状受光手段が、各々１０個の発光素子及び受光素子から成る例を挙げて説明をしているが、各線状発光手段及び線状受光手段を構成する発光素子及び受光素子の数は、本実施例に限定されることなく、各線状発光手段及び線状受光手段の長さに応じて任意の数でよいことは勿論である。
【００１３】
本発明に係る入退場者用検知ゲートは、店舗やビル等の不特定多数の人間が入退場する出入口に設けてもよく、また、会社や炭坑等のように特定の人間が入退場する出入口に設けてもよい。
特定の人間が入退場する出入口に入退場者用検知ゲートを設ける場合には、例えば、入退場する人間に識別ＩＤタグを携帯させると共に、入退場者用検知ゲートに前記識別ＩＤタグのタグ情報を読み取るタグリーダーを設け、誰が何時入退場したかを管理することもできる。
さらに、炭坑等のように、特定の人間が特定の無線機を持って入退場する場所の出入口に入退場者用検知ゲートを設ける場合には、入退場者用検知ゲートに、人間の識別情報と無線機の識別情報とを読み取る読み取り装置を設けて、誰が何時、どの無線機を持って入退場したかの紐付け管理をすることもできる。
【図面の簡単な説明】
【００１４】
【図１】本発明に係る入退場者用検知ゲートの外観を示す概略斜視図である。
【図２】図２（ａ）は一方の支持部材の正面図を、図２（ｂ）は他方の支持部材の正面図を各々示している。
【符号の説明】
【００１５】
１Ｌ  支持部材
１Ｒ  支持部材
２  線状発光手段
２ａ〜２ｊ  発光素子
３  線状発光手段
３ａ〜３ｊ  発光素子
４  線状発光手段
４ａ〜４ｊ  発光素子
５  線状受光手段
５ａ〜５ｊ  受光素子
６  線状受光手段
６ａ〜６ｊ  受光素子
７  線状受光手段
７ａ〜７ｊ  受光素子
１０  制御装置
【図１】
0004505497.tif 000002
【図２】
0004505497.tif 000003